(57)【要約】【課題】製造効率を向上し得るＬ型部材の製造方法を提供する。【解決手段】Ｌ型部材１の製造方法は、長尺角材１０の四周面１０ａ，１０ａ，１０ｂ，１０ｂに化粧シート１１を貼着し、該化粧シートが貼着された長尺角材１０Ａの表裏面１０ａ，１０ａのそれぞれに対して長手方向の略全長に亘って互いに略平行に、かつ表裏面のそれぞれに対して略垂直にそれぞれの底部１２ａ，１２ａが深さ方向において略同位置となるように切り溝１２，１２を形成し、これら両切り溝の底部同士の間を表裏に分断する。【選択図】図１
2014018989.tif 000002
【特許請求の範囲】
【請求項１】
長尺角材の四周面に化粧シートを貼着し、該化粧シートが貼着された長尺角材の表裏面のそれぞれに対して長手方向の略全長に亘って互いに略平行に、かつ表裏面のそれぞれに対して略垂直にそれぞれの底部が深さ方向において略同位置となるように切り溝を形成し、これら両切り溝の底部同士の間を表裏に分断することを特徴とするＬ型部材の製造方法。
【請求項２】
請求項１において、
前記Ｌ型部材は、前記切り溝によって形成された切断面を先端面とする一方の片部が、戸枠の枠本体に設けられた凹所に受け入れられる枠部材として用いられるものであることを特徴とするＬ型部材の製造方法。
【請求項３】
請求項１または２において、
前記切り溝の少なくとも一方が形成される部位に継目が位置するように前記化粧シートを貼着することを特徴とするＬ型部材の製造方法。
【発明の詳細な説明】
【技術分野】
【０００１】
本発明は、Ｌ型部材を製造するＬ型部材の製造方法に関する。
【背景技術】
【０００２】
従来より、Ｌ型部材の製造方法としては、角材に切欠加工を施して製造する方法や、角材（板材）の一方面に略Ｖ型の溝を設け、この溝の部位で折曲加工することで製造する方法が知られている。このような製造方法では、角材の切り欠かれた部位が無駄となったり、精度良く角材（板材）の一方面に略Ｖ型の溝を設ける必要が生じたりすることが考えられるため、さらなる改善が望まれていた。
例えば、下記特許文献１では、角材の表裏面の各々から１条ずつ長さ方向に通しで平行かつ互いに一直線上に交わることなく所要の深さまで垂直に鋸目を入れる工程を有したＬ型部材の製造方法が提案されている。当該Ｌ型部材の製造方法では、上記工程に次いで、表裏面以外の両側面から圧縮または引張することによりせん断破壊を起こして切断し２本のＬ型部材を得、これら２本のＬ型部材の表面に塩化ビニルシート化粧を施す構成とされている。
【先行技術文献】
【特許文献】
【０００３】
【特許文献１】特許第２６７６５８２号公報
【発明の概要】
【発明が解決しようとする課題】
【０００４】
しかしながら、上記特許文献１のＬ型部材の製造方法では、２本のＬ型部材を製造した後に、これら２本のＬ型部材の表面に塩化ビニルシート化粧を施す構成とされている。そのため、２本のＬ型部材のそれぞれの表面に化粧シートを貼着する必要があるので、貼着工程が煩雑化することが考えられる。また、比較的に複雑な形状のＬ型部材の表面に化粧シートを貼着する必要があるため、化粧シートの貼着装置が複雑化したり、精度良く化粧シートを貼着し難くなることが考えられる。
【０００５】
本発明は上記実情に鑑みてなされたものであり、製造効率を向上し得るＬ型部材の製造方法を提供することを目的とする。
【課題を解決するための手段】
【０００６】
上記目的を達成するために、本発明に係るＬ型部材の製造方法は、長尺角材の四周面に化粧シートを貼着し、該化粧シートが貼着された長尺角材の表裏面のそれぞれに対して長手方向の略全長に亘って互いに略平行に、かつ表裏面のそれぞれに対して略垂直にそれぞれの底部が深さ方向において略同位置となるように切り溝を形成し、これら両切り溝の底部同士の間を表裏に分断することを特徴とする。
【０００７】
本発明においては、前記Ｌ型部材は、前記切り溝によって形成された切断面を先端面とする一方の片部が、戸枠の枠本体に設けられた凹所に受け入れられる枠部材として用いられるものとしてもよい。
また、本発明においては、前記切り溝の少なくとも一方が形成される部位に継目が位置するように前記化粧シートを貼着するようにしてもよい。
【発明の効果】
【０００８】
本発明に係るＬ型部材の製造方法によれば、製造効率を向上させることができる。
【図面の簡単な説明】
【０００９】
【図１】本発明の一実施形態に係るＬ型部材の製造方法の工程の一部の一例を模式的に示す概略斜視図である。
【図２】同Ｌ型部材の製造方法の一工程の一例を模式的に示す概略斜視図である。
【図３】（ａ）、（ｂ）は、同Ｌ型部材の製造方法によって製造されたＬ型部材を施工した状態の一例を模式的に示す一部破断概略縦断面図である。
【発明を実施するための形態】
【００１０】
以下に本発明の実施の形態について、図面に基づいて説明する。
図１及び図２は、本実施形態に係るＬ型部材の製造方法を模式的に示す図である。
Ｌ型部材の製造方法は、図１に示すように、長尺角材１０の四周面１０ａ，１０ａ，１０ｂ，１０ｂに化粧シート１１を貼着する工程（シート貼着工程）を有している。また、当該Ｌ型部材の製造方法は、化粧シート１１が貼着された長尺角材１０Ａの表裏面１０ａ，１０ａのそれぞれに対して切り溝１２，１２を形成する工程（切溝形成工程）を有している。また、当該Ｌ型部材の製造方法は、図２に示すように、切溝形成工程の後に、これら両切り溝１２，１２の底部１２ａ，１２ａ同士の間を表裏に分断する工程（分断工程）を有している。また、本実施形態では、図３に示すように、当該Ｌ型部材の製造方法は、切り溝１２によって形成された切断面１２ｂを先端面とする一方の片部１ａが、戸枠３（３Ａ）の枠本体２（２Ａ）に設けられた凹所２ａ（２Ａａ）に受け入れられる枠部材１として用いられるＬ型部材１を製造するようにしている。
【００１１】
本実施形態では、長尺角材１０を、その長手方向に見て長方形状としている。
なお、以下では、切り溝１２の深さ方向に沿う方向を、長尺角材１０の厚さ方向とし、この厚さ方向及び長手方向に直交する方向を、長尺角材１０の幅方向として説明する。また、本実施形態では、長尺角材１０を、その長手方向に見て、幅寸法が厚さ寸法よりも大きい長方形状とした例を示している。また、以下では、長尺角材１０の厚さ方向を表裏方向として、その厚さ方向両面を、四周面のうちの表裏面１０ａ，１０ａ、幅方向両面を四周面のうちの両側面１０ｂ，１０ｂとして説明する。
この長尺角材１０の長さ寸法は、Ｌ型部材１の使用態様に応じて、適宜設定するようにしてもよい。本実施形態のように、Ｌ型部材を枠部材１とした場合には、例えば、２０００ｍｍ〜３０００ｍｍ程度としてもよい。また、長尺角材１０の厚さ寸法や幅寸法も同様、Ｌ型部材１の使用態様に応じて、適宜設定するようにしてもよく、Ｌ型部材を枠部材１とした場合には、厚さ寸法及び幅寸法を、例えば、２０ｍｍ〜１００ｍｍ程度としてもよい。
【００１２】
また、この長尺角材１０としては、無垢材や、ＭＤＦ（中密度繊維板）等の木質繊維板、合板やＬＶＬ（単板積層材）等の木質積層板、パーティクルボード等の木質ボード、インシュレーションボード等の木質系材料から形成されたものとしてもよい。本実施形態では、表面硬度や加工性等の観点から、ＭＤＦから形成された長尺角材１０を採用している。
ＭＤＦの製造方法としては、公知の製造方法を採用することができ、例えば、ラワン等の木材をチップ状に加工し、これを蒸煮して短繊維状に解繊した後、これに合成樹脂材等の接着剤（バインダー）を加えて、厚さ方向に熱圧成形して板状とされたものを用いるようにしてもよい。このように熱圧成形されたＭＤＦは、表裏面側が比較的に硬質で、厚さ方向中心側が比較的に軟質な構造とされている。
また、当該Ｌ型部材の製造方法のシート貼着工程の前に、長尺角材１０の形成工程（長尺角材形成工程）を更に設けるようにしてもよい。このような長尺角材形成工程としては、上記したような熱圧成形によって、長尺角材１０の厚さ寸法に応じた厚さとされた板状材料を形成し、この板状材料を切断して複数本の長尺角材１０を形成するようにしてもよい。また、このような板状材料から複数本の長尺角材１０を形成する態様に代えて、長尺角材１０自体を熱圧成形によって形成するようにしてもよい。
【００１３】
シート貼着工程では、図１に示すように、長尺角材１０の長さ方向の両端面を除いた四周面１０ａ，１０ａ，１０ｂ，１０ｂの略全域に亘って化粧シート１１が貼着され、化粧シート貼着角材１０Ａが製造される。
化粧シート１１は、長尺角材１０の四周面１０ａ，１０ａ，１０ｂ，１０ｂに巻き回されるように貼着される。
化粧シート１１としては、シート状やフィルム状のものとしてもよく、例えば、天然突板や人工突板、合成樹脂シート等を採用するようにしてもよい。
【００１４】
本実施形態では、図１に示すように、切り溝１２の少なくとも一方が形成される部位に、化粧シート１１の継目１１ａが位置するように化粧シート１１を貼着するようにしている。
本実施形態では、切り溝１２の一方が形成される部位（図例では、表面１０ａ側）に継目１１ａが位置するように化粧シート１１を貼着するようにしている。
この化粧シート１１は、図１に示すように、四周面１０ａ，１０ａ，１０ｂ，１０ｂに巻き回された当該化粧シート１１の両端縁部同士を突き合わせるように当接させて継目１１ａが形成されるように貼着するようにしてもよい。または、当該化粧シート１１の両端縁部同士の間に僅かな隙間が継目１１ａとして形成されるように貼着するようにしてもよい。さらには、当該化粧シート１１の両端縁部同士を僅かに重なり合わせて継目１１ａが形成されるように貼着するようにしてもよい。本実施形態では、この化粧シート１１の継目１１ａに沿って、切り溝１２が形成されるので、化粧シート１１の両端縁部同士を精度良く、つまり、突き合わせるように貼着する必要性が低減され、貼着工程を簡略化することができる。
【００１５】
化粧シート１１の長尺角材１０への貼着態様としては、例えば、化粧シート１１をロール状に巻き取った繰り出し装置から化粧シート１１を繰り出しながら、長尺角材１０を移動させて、化粧シート１１を長尺角材１０に貼着するようにしてもよい。
例えば、長尺角材１０を長手方向に沿って搬送しながら、長尺角材１０の周囲に設けた化粧シート貼着ローラーにより、化粧シート１１を長尺角材１０の四周面１０ａ，１０ａ，１０ｂ，１０ｂに押圧しながら、化粧シート１１を長尺角材１０に貼着するようにしてもよい。この場合、長尺角材１０の四周面１０ａ，１０ａ，１０ｂ，１０ｂに貼着された化粧シート１１を、長尺角材１０の長さ寸法に合わせて切断するようにしてもよい。
【００１６】
または、このような貼着態様に代えて、長尺角材１０を長手方向軸回りに回転させながら、長尺角材１０の四周面１０ａ，１０ａ，１０ｂ，１０ｂに化粧シート１１を貼着するようにしてもよい。この場合、長尺角材１０の四周面１０ａ，１０ａ，１０ｂ，１０ｂに貼着された化粧シート１１を、長尺角材１０の外周寸法に合わせて切断するようにしてもよい。
さらには、このような貼着態様に代えて、化粧シート１１を台上に載置して、その上方側に長尺角材１０を載置し、化粧シート１１を長尺角材１０の四周面１０ａ，１０ａ，１０ｂ，１０ｂに貼着するようにしてもよい。この場合、化粧シート１１を予め長尺角材１０の外周寸法に対応した寸法に裁断しておき、化粧シート１１を長尺角材１０の四周面１０ａ，１０ａ，１０ｂ，１０ｂに貼着するようにしてもよい。または、長尺角材１０の外周寸法よりも大きな寸法の化粧シート１１を長尺角材１０に貼着した後、適宜、切断するようにしてもよい。
【００１７】
切溝形成工程では、図１に示すように、化粧シート１１が貼着された長尺角材１０（化粧シート貼着角材１０Ａ）の表裏面１０ａ，１０ａのそれぞれに対して切り溝１２，１２が形成されて、切溝形成角材１０Ｂが製造される。
切溝形成工程では、化粧シート貼着角材１０Ａの表裏面１０ａ，１０ａの長手方向の略全長に亘って互いに略平行に、かつ表裏面１０ａ，１０ａのそれぞれに対して略垂直にそれぞれの底部１２ａ，１２ａが深さ方向において略同位置となるように切り溝１２，１２が形成される。
本実施形態では、化粧シート貼着角材１０Ａの表裏面１０ａ，１０ａにそれぞれ形成された切り溝１２，１２の深さ寸法（切り溝１２の溝開口縁から底部１２ａまでの寸法、長尺角材１０の厚さ方向に沿う寸法）を、略同寸法としている。つまり、両切り溝１２，１２の各底部１２ａ，１２ａが、長尺角材１０の厚さ方向略中心に位置するように形成するようにしている。つまり、当該製造方法によって製造されたＬ型部材１，１のそれぞれの一方の片部１ａ，１ａの厚さ寸法が切溝形成角材１０Ｂの厚さ寸法の略１／２の寸法となるように、両切り溝１２，１２を形成するようにしている。また、本実施形態では、当該製造方法によって製造されたＬ型部材１，１のそれぞれの一方の片部１ａ，１ａの厚さ寸法と他方の片部１ｂ，１ｂの厚さ寸法とが同寸法となるように、両切り溝１２，１２を形成するようにしている。
【００１８】
これら表裏両側の切り溝１２，１２の溝幅寸法は、これら両切り溝１２，１２を形成する溝形成機の態様や、後記する分断工程の態様等に応じて、適宜の溝幅寸法とすればよく、例えば、０．５ｍｍ〜３ｍｍ程度としてもよい。
また、これら表裏両側の切り溝１２，１２を、化粧シート貼着角材１０Ａの幅方向に間隔を空けて、化粧シート貼着角材１０Ａの厚さ方向に重ならないように形成している。
また、これら両切り溝１２，１２の形成態様としては、例えば、化粧シート貼着角材１０Ａを、長手方向に沿ってランニングソー等の切断機（溝形成機）に対して相対的に移動させながら、形成するようにしてもよい。この際、化粧シート貼着角材１０Ａの表裏面１０ａ，１０ａの両側から切断機によって表裏両側のそれぞれの切り溝１２，１２を形成するようにしてもよい。または、化粧シート貼着角材１０Ａの表裏面１０ａ，１０ａのそれぞれに対して個別に切り溝１２，１２を形成するようにしてもよい。
【００１９】
分断工程では、図２に示すように、切溝形成角材１０Ｂの両切り溝１２，１２の底部１２ａ，１２ａ同士の間が表裏に分断されることにより、２本のＬ型部材１，１が製造される。この分断工程では、切溝形成角材１０Ｂが両切り溝１２，１２の底部１２ａ，１２ａ同士を繋ぐ仮想面（二点鎖線参照）に沿って表裏方向（長尺角材１０の厚さ方向）に分断され、２本のＬ型部材１，１が製造される。
本実施形態では、互いに略同寸同形状とされた２本のＬ型部材１，１を製造するようにしている。
【００２０】
長尺角材１０の表裏面１０ａ，１０ａにそれぞれ形成された切り溝１２，１２の底部１２ａ，１２ａ同士の間を表裏に分断する態様としては、図２に示すように、切溝形成角材１０Ｂを幅方向に圧縮して分断する態様としてもよい。
幅方向に圧縮して表裏に分断する態様としては、例えば、切溝形成角材１０Ｂの搬送方向先側に向けて圧縮ローラー間の間隔が次第に幅狭となるように幅方向両側に搬送方向に沿って複数の圧縮ローラーが配置された圧縮装置に切溝形成角材１０Ｂを導入することで分断する態様としてもよい。これにより、切溝形成角材１０Ｂが幅方向両側から圧縮され、両切り溝１２，１２の底部１２ａ，１２ａ同士を繋ぐ仮想面においてせん断変形が生じ、切溝形成角材１０Ｂが表裏に分断される。
または、台上に載置された切溝形成角材１０Ｂを幅方向両側若しくは幅方向一方側から圧縮する態様としてもよい。
【００２１】
また、上記のような切溝形成角材１０Ｂを幅方向に圧縮して表裏に分断する態様に代えて、切溝形成角材１０Ｂを幅方向に引っ張ることで、切溝形成角材１０Ｂを表裏に分断する態様としてもよい。例えば、台上に載置された切溝形成角材１０Ｂの幅方向両側部位を適宜の把持装置により把持し、切溝形成角材１０Ｂを幅方向に引っ張る。これにより、切溝形成角材１０Ｂの両切り溝１２，１２の底部１２ａ，１２ａ同士を繋ぐ仮想面にせん断変形が生じ、切溝形成角材１０Ｂが表裏に分断される。
また、上記のような切溝形成角材１０Ｂを幅方向に圧縮したり、引っ張ったりすることで、切溝形成角材１０Ｂを表裏に分断する態様に代えて、切溝形成角材１０Ｂの長手方向両端面における両切り溝１２，１２の底部１２ａ，１２ａ同士を繋ぐ仮想面に沿ってくさびを打ち込んで、くさび効果により切溝形成角材１０Ｂを表裏に分断するようにしてもよい。
または、切溝形成角材１０Ｂの長手方向両端面における上記仮想面に沿ってくさびを打ち込んで分断補助溝を形成し、次いで、上記のように切溝形成角材１０Ｂを幅方向に圧縮したり、引っ張ったりすることで、切溝形成角材１０Ｂを表裏に分断するようにしてもよい。
上記のように、本実施形態では、長尺角材１０を熱圧成形により形成されたＭＤＦとしているので、厚さ方向中心側部位が軟らかくなるため、両切り溝１２，１２の底部１２ａ，１２ａ同士の間を種々の態様によって容易に表裏に分断することができる。
【００２２】
当該Ｌ型部材の製造方法において製造された二本のＬ型部材１，１は、切り溝１２，１２によって形成された切断面１２ｂ，１２ｂを先端面とする一方の片部１ａ，１ａと、この一方の片部１ａ，１ａに直交するように設けられた他方の片部１ｂ，１ｂと、を備えている。また、これらＬ型部材１，１は、これら一方の片部１ａ，１ａと他方の片部１ｂ，１ｂとによって、長手方向に見て略Ｌ字状に形成されている。図例では、これら二本のＬ型部材１，１のそれぞれの一方の片部１ａ，１ａを他方の片部１ｂ，１ｂよりも長尺とした例を示している。
これら二本のＬ型部材１，１のそれぞれは、それぞれの長手方向両端面を除く、外周面のうち、両切り溝１２，１２によって形成された切断面１２ｂ，１２ｂ及び上記分断工程により分断された分断面１２ｃ，１２ｃを除いた面に化粧シート１１が貼着されている。つまり、これら二本のＬ型部材１，１のそれぞれは、一方の片部１ａ，１ａの外側面、他方の片部１ｂ，１ｂの外側面及び他方の片部１ｂ，１ｂの先端面に化粧シート１１が貼着されている。
【００２３】
上記構成とされた本実施形態に係るＬ型部材１の製造方法によれば、製造効率を向上させることができる。
つまり、当該Ｌ型部材１の製造方法によれば、長尺角材１０を表裏面１０ａ，１０ａの両切り溝１２，１２の底部１２ａ，１２ａ同士の間を表裏に分断することで、１本の長尺角材１０から２本のＬ型部材１，１を製造することができる。従って、長尺角材の切欠部位の無駄や、精度良く板材等に略Ｖ型の溝を設ける必要等が生じることがなく、Ｌ型部材１の製造効率を向上させることができる。
また、長尺角材１０の四周面１０ａ，１０ａ，１０ｂ，１０ｂに化粧シート１１を貼着した後に、その表裏面のそれぞれに対して切り溝１２，１２を形成するようにしている。従って、２本のＬ型部材を製造した後に、これら２本のＬ型部材の外周表面に化粧シート１１を貼着する態様とした場合と比べて、化粧シート１１の貼着効率を向上させることができる。また、比較的に複雑な形状のＬ型部材ではなく、長尺角材１０の四周面１０ａ，１０ａ，１０ｂ，１０ｂに化粧シート１１を貼着する態様としているので、化粧シート１１の貼着装置が複雑化したり、化粧シート１１の貼着ずれ等を抑制することができる。つまり、上記のように２本のＬ型部材のそれぞれに化粧シートを貼着する態様において、例えば、各Ｌ型部材の全周面に化粧シートを貼着する態様とした場合には、化粧シートの貼着面が多くなり、化粧シートの貼着装置や貼着工程等が複雑化することが考えられる。また、Ｌ型部材の各片部の少なくとも内側面に化粧シートを貼着しないような態様とした場合には、貼着面と非貼着面（内側面等）との境界（稜線部）にその化粧シートの端縁を貼着ずれ等を生じさせずに沿わせて貼着することは困難となることが考えられる。本実施形態に係るＬ型部材１の製造方法によれば、このように化粧シート１１の貼着装置や貼着工程等が複雑化したり、化粧シート１１の貼着ずれ等が生じることを抑制することができる。
【００２４】
また、本実施形態では、切り溝１２の少なくとも一方が形成される部位に継目１１ａが位置するように化粧シート１１を貼着するようにしているので、継目１１ａに沿って切り溝１２が形成されることとなり、化粧シート１１の継目１１ａが切り溝１２の形成により消失する。これにより、化粧シート１１の継目１１ａがその他の部位に現れることがないので、Ｌ型部材１の見栄えを向上させることができる。
【００２５】
次に、上記したＬ型部材の製造方法によって製造されたＬ型部材１を施工した状態の一例を説明する。
図３（ａ）では、二本のＬ型部材からなる枠部材１，１は、枠本体２とによって、戸枠としてのケーシング枠３を構成した例を示している。
ケーシング枠３は、壁体４に形成された開口部に沿うように配設される縦枠としてもよく、または上枠としてもよい。図例では、上枠としてのケーシング枠３を例示している。
【００２６】
枠本体２は、比較的に長尺の略帯板状とされており、壁体４に形成された開口部の内周面５に沿うように固定される。この枠本体２の見込み方向（壁体４の厚さ方向に沿う方向）の両側端面には、長手方向に沿って、それぞれ凹所２ａ，２ａが形成されている。これら凹所２ａ，２ａの凹所幅寸法は、枠部材１，１のそれぞれの一方の片部１ａ，１ａの厚さ寸法に応じた寸法とされている。
二本の枠部材１，１は、枠本体２の見込み方向両側に配設される。これら二本の枠部材１，１のそれぞれの一方の片部１ａ，１ａは、枠本体２の凹所２ａ，２ａに嵌め入れられる構造とされている。
【００２７】
図例では、二本の枠部材１，１のそれぞれの一方の片部１ａ，１ａを、一方の片部１ａ，１ａの先端面１２ｂ，１２ｂと枠本体２の凹所２ａ，２ａの底面との間に隙間を設けるように、凹所２ａ，２ａに嵌め入れた例を示している。
また、二本の枠部材１，１のそれぞれの一方の片部１ａ，１ａが凹所２ａ，２ａに嵌め入れられた状態では、これら枠部材１，１の他方の片部１ｂ，１ｂは、そのＬ型の内側面（切断面）１２ｂが壁体４に当接される構造とされている。
このように、これら二本の枠部材１，１が施工された状態では、化粧シート１１が貼着されていない切断面１２ｂ，１２ｂ及び分断面１２ｃ，１２ｃが壁体４の壁面や開口部の内周面５に対面した状態となる。また、枠本体２の見込み面（開口側に向く面）には、戸当たり材６が設けられており、戸７の周縁部が、戸当たり材６に当接される構造とされている。図例では、戸７を、開き戸としている。なお、枠本体２の施工された状態における少なくとも露出する面にも上記同様の化粧シートが貼着されている。
【００２８】
図３（ｂ）では、一本の枠部材１は、枠本体２Ａとによって、見込み方向に分割された分割調整枠３Ａを構成した例を示している。
分割調整枠３Ａは、壁体４に形成された開口部に沿うように配設される縦枠としてもよく、または上枠としてもよい。図例では、上枠としての分割調整枠３Ａを例示している。
枠本体２Ａは、比較的に長尺の略帯板状とされており、壁体４に形成された開口部の内周面５に沿うように、開口部の見込み方向一方側に固定される。この枠本体２Ａは、壁体４の一方の壁面に当接される押圧片部と、この押圧片部と略直交するように設けられ、開口部の内周面５に当接される凹所片部とを備え、長手方向に見て略Ｌ型形状とされている。
枠本体２Ａは、凹所片部の先端部における開口部の内周面側の部位には、長手方向に沿って切欠部が設けられている。
枠本体２Ａは、押圧片部を壁体４の一方の壁面に当接させ、凹所片部を開口部の内周面５に当接させて、開口部の見込み方向一方側に固定される。これにより、開口部の内周面５と凹所片部の切欠部とによって、枠部材１の一方の片部１ａが嵌め入れられる凹所２Ａａが形成される。この凹所２Ａａの凹所幅寸法は、上記同様、枠部材１の一方の片部１ａの厚さ寸法に応じた寸法とされている。
枠部材１は、開口部の見込み方向他方側に固定され、その一方の片部１ａが凹所２Ａａに嵌め入れられる。このように、枠部材１が施工された状態では、上記同様、化粧シート１１が貼着されていない切断面１２ｂ及び分断面１２ｃが壁体４の他方の壁面や開口部の内周面５に対面した状態となる。
図例では、枠部材１の一方の片部１ａを、一方の片部１ａの先端面１２ｂと凹所２Ａａの底面との間に隙間を設けるように、凹所２Ａａに嵌め入れた例を示している。
また、枠本体２Ａの凹所片部の見込み方向先端面は、戸７の周縁部が当接される戸当たりとして機能する。
このように見込み方向に分割された構造の分割調整枠３Ａによれば、壁体４の厚さ寸法が異なるような場合にも対応することができる。
【００２９】
上記のように、本実施形態では、当該Ｌ型部材１の製造方法において、切り溝１２によって形成された切断面１２ｂを先端面とする一方の片部１ａが、戸枠３（３Ａ）の枠本体２（２Ａ）に設けられた凹所２ａ（２Ａａ）に受け入れられる枠部材１を製造するようにしている。従って、このような戸枠３（３Ａ）の枠部材１は、上記のように、そのＬ型の各片部１ａ，１ｂの内側面となる分断面１２ｃや一方の切断面１２ｂが、壁面や枠下地に向いて施工され、露出することがない。また、切り溝１２によって形成された切断面１２ｂを先端面とする一方の片部１ａの先端面は、上記のように、枠本体２（２Ａ）の凹所２ａ（２Ａａ）に受け入れられるので露出することがない。また、これらの面以外の露出される面には化粧シート１１が貼着されている。これにより、当該Ｌ型部材１（枠部材）の施工後の見栄えを損なうことがなく、このような戸枠３（３Ａ）の枠部材１として好適に用いることができる。
【００３０】
なお、上記例では、表裏両側の切り溝１２，１２のうちの一方が形成される部位に継目１１ａが位置するように化粧シート１１を貼着した例を示しているが、この態様に限定されない。表裏両側の切り溝１２，１２のそれぞれが形成される部位に継目１１ａ，１１ａが位置するように化粧シート１１を貼着するようにしてもよい。また、切り溝１２が形成される部位以外の部位に継目１１ａが位置するように化粧シート１１を貼着するようにしてもよい。
また、本実施形態では、長尺角材１０を、長手方向に見て長方形状とした例を示しているが、この態様に限定されず、長尺角材１０を、例えば、長手方向に見て正方形状としてもよい。
また、本実施形態では、Ｌ型部材１，１のそれぞれの一方の片部１ａ，１ａの厚さ寸法が切溝形成角材１０Ｂの厚さ寸法の略１／２の寸法となるように、かつそれぞれの一方の片部１ａ，１ａの厚さ寸法とそれぞれの他方の片部１ｂ，１ｂの厚さ寸法とが同寸法となるように、両切り溝１２，１２を形成し、略同寸同形状とされた二本のＬ型部材１，１を製造する態様とした例を示したが、このような態様に限られない。互いに異なる形状とされた二本のＬ型部材１，１を製造するようにしてもよい。この場合、二本のＬ型部材１，１のそれぞれが所望の形状となるように、適宜の切り溝１２，１２を形成するようにしてもよい。例えば、表裏両側の切り溝１２，１２のそれぞれの深さ寸法を異ならせたり、他方の片部１ｂ，１ｂ同士の厚さ寸法が異なる寸法となるように表裏両側における切り溝１２，１２の形成位置を設定するようにしてもよい。
また、本実施形態では、Ｌ型部材の製造方法によって製造されたＬ型部材１を、枠部材１とした例を示したが、このような態様に限られない。Ｌ型部材の製造方法によって製造されたＬ型部材１としては、その他、種々の部材として用いられるものとしてもよい。
【符号の説明】
【００３１】
１              枠部材（Ｌ型部材）
１ａ            一方の片部
１０            長尺角材
１０ａ          表面、裏面
１０ｂ          側面
１０Ａ          化粧シート貼着角材（化粧シートが貼着された長尺角材）
１１            化粧シート
１１ａ          継目
１２            切り溝
１２ａ          底部
１２ｂ          先端面（切断面）
２，２Ａ        枠本体
２ａ，２Ａａ    凹所
３，３Ａ        戸枠
【図１】
2014018989.tif 000003
【図２】
2014018989.tif 000004
【図３】
2014018989.tif 000005